(57)【要約】【課題】複数の格子部材間の間隔を自由に設定することの出来るフェンス構造を提供する。【解決手段】長手方向に延びるガイドレール部を備えた長尺のベース部材と、このベース部材に対して立設する複数の格子部材と、前記ベース部材のガイドレール部にスライド可能に設けられて、前記格子部材の下端部を支持する複数の支持部材と、スライド可能な前記支持部材を前記ベース部材に固定する固定部材が備えられ、支持部材のベース部材に対する固定位置の変更により、フェンスの施工現場でも隣接する格子部材間の間隔を容易に変更可能とした。【選択図】図２
2009174125.tif 000002
【特許請求の範囲】
【請求項１】
長手方向に延びるガイドレール部を備えた長尺のベース部材と、このベース部材に対して立設する複数の格子部材と、前記ベース部材のガイドレール部にスライド可能に設けられて、前記格子部材の下端部を支持する複数の支持部材と、スライド可能な前記支持部材を前記ベース部材に固定する固定部材が備えられ、支持部材のベース部材に対する固定位置の変更により、隣接する格子部材間の間隔を変更可能であることを特徴とするフェンス構造。
【請求項２】
ベース部材に対する支持部材の姿勢が、支持部材の回転により変更可能であることを特徴とする請求項１に記載のフェンス構造。
【請求項３】
固定部材がボルトとこのボルトの螺子軸に螺着するナットから構成されていることを特徴とする請求項１または２に記載のフェンス構造。
【発明の詳細な説明】
【技術分野】
【０００１】
本発明は、例えば庭や敷地の境界部分などに設置するフェンスの構造に関するものである。
【背景技術】
【０００２】
一般にこの種のフェンスは、上下一対の長尺のベース部材と、これらベース部材間に掛け渡される複数の格子部材と、格子部材の長さ方向一端を前記ベース部材に連結するための連結部材とから成り、連結部材の基部を格子部材の長さ方向一端部に嵌合固定すると共に、連結部材に一体形成した頸部を、ベース部材に設けた取付け孔に嵌め込むことで、格子部材を上下ベース部材間に架設するようにしている。（特許文献１参照）
しかしながら、以上のフェンスの組み立て構造では、ベース部材に架設される複数の格子部材の間隔が、ベース部材に設けられている取付け孔により規制されることから、例えば施工現場において格子部材の間隔を自由に変更することは出来ない。
【特許文献１】実開平７−２９００８号
【発明の開示】
【発明が解決しようとする課題】
【０００３】
本発明は以上の実情に鑑みて開発したものであって、目的とするところは、複数の格子部材間の間隔を自由に設定することの出来るフェンスを提供せんとするものである。
【課題を解決するための手段】
【０００４】
前記した目的を達成するために、請求項１に記載の発明は、長手方向に延びるガイドレール部を備えた長尺のベース部材と、このベース部材に対して立設する複数の格子部材と、前記ベース部材のガイドレール部にスライド可能に設けられて、前記格子部材の下端部を支持する複数の支持部材と、スライド可能な前記支持部材を前記ベース部材に固定する固定部材が備えられ、支持部材のベース部材に対する固定位置の変更により、隣接する格子部材間の間隔を変更可能であることを特徴とする。
【０００５】
請求項２に記載の発明は、請求項１に記載のフェンス構造において、支持部材の回転により、ベース部材に対する支持部材の姿勢を変更可能であることを特徴とする。
【０００６】
請求項３に記載の発明は、固定部材がボルトとこのボルトの螺子軸に螺着するナットから構成されていることを特徴とする。
【発明の効果】
【０００７】
請求項１に記載の発明によれば、フェンスの施工現場でも、ベース部材にスライド可能に設けられた格子部材の支持部材の固定位置の変更により、隣接する格子部材間の間隔を簡単に調整することが出来るし、また格子部材の本数も任意変更することも可能である。
【０００８】
請求項２に記載の発明によれば、請求項１に記載の発明の効果に加え、支持部材を角回転させることで、この支持部材に支持される格子部材の姿勢を簡単に変更することが出来る。
【０００９】
請求項３に記載の発明によれば、請求項１または２に記載の発明の効果に加え、ボルトの螺締若しくは螺緩操作だけで、支持部材をベース部材に対して簡単且つ容易に固定したり、あるいはスライド可能とすることが出来るので、格子部材間の間隔の調整作業がより一層簡単に行なえる。
【発明を実施するための最良の形態】
【００１０】
以下、本発明の実施形態について図面を参照しながら説明する。
【００１１】
図１は本発明にかかるフェンス構造の一実施形態を示す概略説明図、図２は、同要部の分解斜視図、図３は、同要部を分解して示す断面図、図４は、同要部の断面図である。
【００１２】
そして図において符号１で示すフェンスは、基本的には、直線状に延びる長尺のベース部材２と、このベース部材２に対して立設する複数本の格子部材３と、前記ベース部材２にスライド可能に設けられて、前記格子部材の下端部を支持する複数の支持部材４と、スライド可能な前記支持部材４をベース部材２に固定するための固定部材５が備えられている。
【００１３】
ベース部材２は、アルミニウム材の押し出し成型により形成した成型品を所定の長さに切断したものであって、このベース部材２は、平面視帯状に延びる長尺の底板部２１と、この底板部２１の幅方向両端から立ち上がる一対の補強リブ２２・２３が備えられ、底板部２１の上面には、ガイドレール部６が一体形成されている。
【００１４】
ガイドレール部６は、底板部２１の上面から立ち上がる一対の脚６１ａ・６１ｂと、これら各脚６１ａ・６１ｂの上端に対して交差状に配置され、且つ底板部２１とは平行なガイド板６２ａ・６２ｂから成り、ガイド板６２ａ・６２ｂの相対向する端縁間には、後記する固定部材５を構成するボルト５１の螺子軸５１ａが挿通可能な隙間Ｓが設けられ、この隙間Ｓは、ベース部材２の長さ方向全長にわたって延びている。
【００１５】
またガイド板６２ａ・６２ｂの上面と補強リブ２２・２３の上端は、同一の高さとしている。
【００１６】
格子部材３は、ベース部材２と同様に、アルミニウム材の押し出し成型により形成した成型品を所定の長さに切断したものであって、断面正方形とした角筒から形成され、その幅Ｗ２は、ベース部材２の幅Ｗ１よりもわずかに大きくしている。
【００１７】
支持部材４は、ベース部材２と同様に、アルミニウム材の押し出し成型により形成した成型品を所定の長さに切断したものであって、この支持部材４は、ガイド板６２ａ・６２ｂの上面及び補強リブ２２・２３の上端に載置されるスライド板部４１と、このスライド板部４１の幅方向両端から立ち上がる一対の支持板部４２ａ・４２ｂから構成された断面略Ｕ字状に形成されている。
【００１８】
スライド板部４１の幅Ｗ３は、ベース部材２の幅Ｗ１とほぼ同一にしている。
【００１９】
そしてスライド板部４１の幅方向中央には、ボルト５１の螺子軸５１ａが挿通可能な３つの挿通孔４３ａ・４３ｂ・４３ｃが、スライド板部４１の長さ方向に沿って直列に形成されている。
【００２０】
尚、３つの挿通孔４３ａ・４３ｂ・４３ｃ中、真ん中の挿通孔４３ｂはスライド板部の長さ方向中央に設けられている。
【００２１】
固定部材５は、ボルト５１と、このボルト５１の螺子軸５１ａに螺合可能なナット５２から構成されている。
【００２２】
ボルト５１の頭部５１ｂ及びナット５２の直径は隙間Ｓの幅よりも広くしている。
【００２３】
以上の構成からなるフェンス１を組み立てるには、先ず、ボルト５１の螺子軸５１ａを支持部材４のスライド板４１の下方からこのスライド板４１の挿通孔４３ａ・４３ｂ・４３ｃに挿通し、その挿通端部に座金５３を挿通した上でナット５２を螺着するのである。
【００２４】
この時、格子部材３をベース部材２に対してスライドのみセットしたい場合には、図２にも示すように、前記ボルト５１を２箇所の挿通孔４３ａ及び４３ｃにセットする。
【００２５】
また格子部材３をベース部材２に対してスライド及び回転可能にセットしたい場合には、図５に示すように、前記ボルト５１を中央の挿通孔４３ｂにのみセットすればよく、この場合、図６に示すように、ベース部材２に対して立設する格子部材３を所望の姿勢にセットすることが出来る。
【００２６】
そして、以上のように固定部材５がセットされた支持部材４をベース部材２の長さ方向一端外方から内方に向けてスライドさせ、ボルト５１のねじ軸５１ａを隙間Ｓに通す共に、固定部材５のスライド板４１をガイド板６２ａ・６２ｂの上面及び補強リブ２２・２３の上端に載せる。
【００２７】
そして、複数の支持部材４がベース部材２上にセットされたならば、フェンス完成後における格子部材３間の間隔に見合うように、各支持部材４をベース部材５に対してスライドさせ、支持部材４がベース部材５の所望位置にセットされた段階で、ナット５２を螺締して、各支持部材４をベース部材２に固定する。
【００２８】
続いてベース部材５を、フェンス１の設置場所の基礎Ｂ上にアンカー部材８やペグピン（図示せず）などにより仮固定すると共に、支持部材４に格子部材３の下端部を被せ、ベース部材５に対する格子部材３の立設状態（垂直度）を調整した後、タッピングスクリュー７を格子部材３の下端部壁板から支持部材４の支持板部４２ａ・４２ｂにねじこんで、格子部材３を支持部材４を介してベース部材５に固定する。
【００２９】
これにより、各格子部材３が所望の間隔を開けた状態でベース部材５に対して立設する。
【００３０】
続いて、ベース部材２をコンクリートＣにより固定するのであり、ベース部材２の固定に際して、以降、格子部材３の間隔の変更を行なわない場合には、図１にも示すように、コンクリートＣによりベース部材３を埋設し、これに対しフェンス１の設置後において格子部材３の間隔を変更調整する余地を残す場合には、ベース部材の底板部２１上にはコンクリートを流し込まず、底板部２１上のガイドレール部６を露呈させておく。
【００３１】
斯くして、所望の間隔で各格子部材３が配置されたフェンス１の設置が完了するのである。
【００３２】
尚、各格子部材３の上端開口は、別途形成したキャップ（図示せず）により閉鎖する。
【００３３】
以上の実施形態では、固定部材５を構成するナットとして、六角ナットを用いたが、蝶ナットを用いてもよい。
【００３４】
また以上の実施形態では、格子部材３を断面正方形とした角筒から形成したが、これに限定されるものではなく、例えば断面六角形とした角筒やあるいは円筒から形成してもよい、
また以上の実施形態では、ベース部材２を平面視直線状に形成したが、これに限定されるものではなく、図７及び図８に示すように、ベース部材２を平面視湾曲状に形成してもよく、斯く構成することにより、フェンス１をカーブさせて配置することが出来る。
【００３５】
また以上の実施形態では、ベース部材２に対して立設する各格子部材３の上端をフリーとしたが、これに限定されるものではなく、これら格子部材３の上端部を例えば横桟部材で連結してもよい。
【図面の簡単な説明】
【００３６】
【図１】本発明にかかるフェンス構造の一実施形態を示す概略説明図。
【図２】同、要部の分解斜視図。
【図３】同、要部を分解して示す断面図。
【図４】同、要部の断面図。
【図５】本発明にかかるフェンス構造の別の利用例を示す要部の斜視図。
【図６】本発明にかかるフェンス構造の別の利用例を示す斜視図。
【図７】本発明にかかるフェンス構造の別の実施形態を示す要部の斜視図。
【図８】本発明にかかるフェンス構造の別の実施形態を示す斜視図。
【符号の説明】
【００３７】
１      フェンス
２      ベース部材
２１    底板部
２２・２３  補強リブ
３      格子部材
４      支持部材
４１    スライド板部
４２ａ・４２ｂ  支持板部
５      固定部材
５１    ボルト
５１ａ  螺子軸
５２    ナット
６      ガイドレール部
６１ａ・６１ｂ  脚
６２ａ・６２ｂ  ガイド板
Ｓ      隙間
【図１】
2009174125.tif 000003
【図２】
2009174125.tif 000004
【図３】
2009174125.tif 000005
【図４】
2009174125.tif 000006
【図５】
2009174125.tif 000007
【図６】
2009174125.tif 000008
【図７】
2009174125.tif 000009
【図８】
2009174125.tif 000010